(57)【要約】【課題】手挿入の時に手が噴出ノズルや手乾燥室に触れ、清潔感を損なう恐れがあるという課題があり、手を乾燥させる処理空間を大きくとることで、清潔感を向上させることができることを目的としている。【解決手段】処理空間４は手を出し入れする開口部１２を備え、前記開口部１２は処理空間の複数の平面または曲面によって構成されたのものであり、処理空間４を広く取ることで手挿入時に障害となるものがないため、自然に手を入れやすくすることができる。また水滴は水受け３を持つため、水滴を壁や床面などの本体１の外部を汚すことがないようにできるという作用を有する。【選択図】図１
2006187397.tif 000002
【特許請求の範囲】
【請求項１】
作動気流の運動エネルギ−により手に付着した水分を除去するように構成した手乾燥装置であって、濡れた手に対して噴流ノズルにより生成される作動気流を吹き当てる処理空間と手から除去した水滴を回収する水滴回収手段を備え、前記処理空間は手を出し入れする開口部を備え、前記開口部は処理空間の複数の平面または曲面によって構成されたことを特徴とする手乾燥装置。
【請求項２】
開口部の開口距離を１００ｍｍ以上とし、処理空間の上面および正面を開口したことを特徴とする請求項１記載の手乾燥装置。
【請求項３】
処理空間のうち下面および背面を構成する一部の平面または曲面によって覆われ、手から除去した水滴を回収する水滴回収手段を設けたことを特徴とする請求項１または請求項２記載の手乾燥装置。
【請求項４】
処理空間のうち下面を構成する一部の平面または曲面によって覆われ、手から除去した水滴を回収する水滴回収手段を設けたことを特徴とする請求項１または請求項３記載の手乾燥装置。
【請求項５】
本体の上面から見て噴出ノズルを目視できる構成としたことを特徴とする請求項１から請求項４記載の手乾燥装置。
【請求項６】
処理空間の上面かつ背面の方向に噴き出す噴出ノズルを備えたことを特徴とする手乾燥装置。
【請求項７】
少なくとも１箇所の噴出ノズルを処理空間の上面の方向へ噴出させるようにしたことを特徴とする請求項４から請求項６記載の手乾燥装置。
【請求項８】
処理空間の最も低い位置よりも噴出ノズルは上方にあることを特徴とする請求項７記載の手乾燥装置。
【請求項９】
噴出ノズル内部の通風経路に安全装置を設けたことを特徴とする請求項８記載の手乾燥装置。
【請求項１０】
送風機と噴出ノズルの間にＵ字型をしたトラップを設けたことを特徴とする請求項９記載の手乾燥装置。
【請求項１１】
トラップの最下点に水滴の自重により開口する扉を設けたことを特徴とする請求項１０記載の手乾燥装置。
【請求項１２】
扉は水滴がなくなると閉じる構成としたことを特徴とする請求項１１記載の手乾燥装置。
【発明の詳細な説明】
【技術分野】
【０００１】
本発明は、洗面所やトイレ等で手を洗い、濡れた手を乾燥させる手乾燥装置に関するものである。
【背景技術】
【０００２】
従来、この種の手乾燥装置は、高速風により乾燥する方式としたものが知られている（例えば、特許文献１〜３参照）。以下、その手乾燥装置について図７〜１２を参照しながら説明する。図７および図８に示すように、壁面に固定された本体１０１は、下部に高速噴流を噴き出す噴出ノズル１０２と前記噴出ノズル１０２から高速噴流を噴き出す方向に設置された水滴回収手段である水受け１０３を付属している。前記噴出ノズル１０２と前記水受け１０３の間に手を挿入して乾燥させるための処理空間１０４が形成される。本体１０１内には送風手段１０５、発熱手段１０６および制御手段１０７が設けられている。処理空間１０４の中に挿入された手を検知して送風手段１０５および発熱手段１０６に通電するための検知手段１０８を本体１０１の一部に付属している。
【０００３】
上記構成において濡れた手を処理空間１０４に挿入すると、検知手段１０８により手の存在を検知して、送風手段１０５および発熱手段１０６を動作させる。これにより本体下部に設置された吸込口１０９から外部空気を吸込み、送風手段１０５と発熱手段１０６を経由して温風が形成されて噴出ノズル１０２より送風される。このとき差し出した手に温風が当たり、手を乾燥させる。手を引っ込めると検知手段１０８の検出がなくなるので、送風手段１０５および発熱手段１０６は停止する。このような運転の作業を制御手段１０７にて実施する。
【０００４】
手から離れた水滴は水受け１０３に集められるが、噴出ノズル１０２の送風により飛散しやすくなるため、水受け１０３の前部および側部の突出壁１１０を付属して周囲への飛散を防止する構成になっている。また水受けにて回収した水滴は、水受けにあるドレン穴１１１を通過して、ドレンタンク１１２に一定の量を溜められる。ドレンタンク１１２は定期的にメンテナンスされ回収された水滴を廃棄するようになっている。
【０００５】
また、図９および図１０に示すように、水滴回収手段を付属しないものもある。壁面に固定された本体２０１は、下部に高速噴流を噴き出す噴出ノズル２０２を付属している。前記噴出ノズル２０２の下方に手を挿入して乾燥させるための処理空間２０４が本体下方の自由空間に形成される。本体２０１内には送風手段２０５、発熱手段２０６および制御手段２０７が設けられている。処理空間２０４の中に挿入された手を検知して送風手段２０５および発熱手段２０６に通電するための検知手段２０８を本体２０１の一部に付属している。
【０００６】
上記構成において濡れた手を処理空間２０４に挿入すると、検知手段２０８により手の存在を検知して、送風手段２０５および発熱手段２０６を動作させる。これにより本体下部に設置された吸込口２０９から外部空気を吸込み、送風手段２０５と発熱手段２０６を経由して温風が形成されて噴出ノズル２０２より送風される。このとき差し出した手に温風が当たり、手を乾燥させる。手を引っ込めると検知手段２０８の検出がなくなるので、送風手段２０５および発熱手段２０６は停止する。このような運転の作業を制御手段２０７にて実施する。
【０００７】
また、図１１および図１２に示すように、壁面に固定された本体３０１は、高速噴流を噴き出す噴出ノズル３０２を対に対峙した形で付属している。前記噴出ノズル３０２の対峙した空間に手を挿入して乾燥させるための処理空間３０４が本体内部に形成される。その処理空間３０４の下方に水滴回収手段である水受け３０３を付属している。本体３０１内には送風手段３０５および制御手段３０７が設けられている。処理空間３０４の中に挿入された手を検知して送風手段３０５に通電するための検知手段３０８を本体３０１の一部に付属している。上記構成において濡れた手を処理空間３０４に挿入すると、検知手段３０８により手の存在を検知して、送風手段３０５を動作させる。これにより本体下部に設置された吸込口３０９から外部空気を吸込み、送風手段３０５を経由して風が形成されて噴出ノズル１０２より送風される。このとき差し出した手に風が当たり、手を乾燥させる。手を引っ込めると検知手段３０８の検出がなくなるので、送風手段３０５は停止する。このような運転の作業を制御手段３０７にて実施する。
【特許文献１】特開平１０−７１１１号公報
【特許文献２】特開平７−２８９４７６号公報
【特許文献３】特開平５−２９３０５５号公報
【発明の開示】
【発明が解決しようとする課題】
【０００８】
このような従来の手乾燥装置では、手挿入の時に手が噴出ノズルや手乾燥室に触れ、清潔感を損なう恐れがあるという課題があり、また高速噴流によって吹き飛ばした水滴が周囲に飛散するという課題がある。
【０００９】
本発明は、このような従来の課題を解決するものであり、手を乾燥させる処理空間を大きくとることで、清潔感を向上させることができ、また水滴回収手段を設けることで、水滴飛散を防止することができる手乾燥装置を提供することを目的としている。
【００１０】
また、手挿入の時に手が噴出ノズルや手乾燥室に触れ、清潔感を損なう恐れがあるという課題があり、また高速噴流によって吹き飛ばした水滴が周囲に飛散することがなく、かつ水滴が噴出ノズル内部に侵入することを防ぐ必要があるという課題がある。本発明は、このような従来の課題を解決するものであり、手を乾燥させる空間を大きくとることで、清潔感を向上させることができ、また水滴回収手段を設け、かつ噴出ノズルに対して下方に設置することで噴出ノズル内部に水滴が侵入することがないことができる手乾燥装置を提供することを目的としている。
【００１１】
また、手を乾燥させる空間を大きくとることで、清潔感を向上させるという課題があり、また、高速噴流によって吹き飛ばした水滴が周囲に飛散することがなく、かつ水滴が噴出ノズル内部に侵入した場合に本体の故障を防ぐ必要があるという課題がある。
【００１２】
本発明は、このような従来の課題を解決するものであり、手を乾燥させる空間を大きくとることで、清潔感を向上させることができ、また水滴回収手段を設け、かつ噴出ノズルに水滴が進入した場合は、通風路内の安全装置により故障を防ぐことができることができる手乾燥装置を提供することを目的としている。
【課題を解決するための手段】
【００１３】
本発明の手乾燥装置は、上記目標を達成するため、濡れた手に対して噴流ノズルにより生成される作動気流を吹き当てる処理空間と手から除去した水滴を回収する水滴回収手段を備え、前記処理空間は手を出し入れする開口部を備え、前記開口部は処理空間の一部をなす複数の平面または曲面として構成されたことを特徴とする。
【００１４】
開口部の開口距離を１００ｍｍ以上とし、処理空間の上面および正面を開口したことを特徴とする。
【００１５】
処理空間のうち下面および背面を構成する一部の平面または曲面によって覆われ、手から除去した水滴を回収する水滴回収手段を設けたことを特徴とする。
【００１６】
処理空間のうち下面を構成する一部の平面または曲面によって覆われ、手から除去した水滴を回収する水滴回収手段を設けたことを特徴とする。
【００１７】
本体の上面から見て噴出ノズルを目視できる構成としたことを特徴とする。
【００１８】
処理空間の上面かつ背面の方向に噴き出す噴出ノズルを備えたことを特徴とする。
【００１９】
少なくとも１箇所の噴出ノズルを処理空間の上面の方向へ噴出させるようにしたことを特徴とする。
【００２０】
処理空間の背面の最も低い位置よりも噴出ノズルは上方にあることを特徴とする。
【００２１】
そして、本発明によれば手を乾燥させる空間を大きくとることで、清潔感を向上させるとともに水滴回収手段を設け、かつ噴出ノズルに対して下方に設置することで噴出ノズル内部に水滴が侵入することがないことができる手乾燥装置が得られる。
【００２２】
また、噴出ノズル内部の通風経路に安全装置を設けたことを特徴とする。そして、本発明によれば手を乾燥させる空間を大きくとることで、清潔感を向上させるとともに水滴回収手段を設け、かつ噴出ノズルに水滴が進入した場合は、通風路内の安全装置により故障を防ぐことができることができる手乾燥装置が得られる。
【００２３】
また、送風機と噴出ノズルの間にＵ字型をしたトラップを設けたことを特徴とする。
【００２４】
また、トラップの最下点に水滴の自重により開口する扉を設けたことを特徴とする。
【００２５】
また、扉は水滴がなくなると閉じる構成としたことを特徴とする。
【発明の効果】
【００２６】
本発明によれば手の甲または手のひらのどちらか側が開口するとともに、手から除去した水滴を回収する水滴回収手段を設けたことにより手を挿入するときに処理空間の周りには何もないため、清潔感がある。また掃除をするときにも障害物が少ないためやりやすく、本体の周辺を汚さないため、清掃に余分な時間をかけなくてもよいという効果のある手乾燥装置を提供できる。
【発明を実施するための最良の形態】
【００２７】
本発明の請求項記載の発明は、処理空間の使用者側から手を自由に入れやすい開口部を有するとともに、手から除去した水滴を回収する水滴回収手段を設けたものであり、処理空間を広く取ることで手挿入時に障害となるものがないため、自然に手を入れやすくすることができる。また水滴は水滴回収手段を持つため、水滴を壁や床面などの本体外部を汚すことがないようにできるという作用を有する。
【００２８】
以下、本発明の実施の形態について図面を参照しながら説明する。
【００２９】
（実施の形態１）
図１および図２に示すように、壁面に固定された本体１は、本体１の上部に高速噴流を使用者側と反対側の壁面側に噴き出す噴出ノズル２と前記噴出ノズル２から高速噴流を噴き出す方向かつ床面に略平行に設置された水滴回収手段である水受け３を付属している。前記噴出ノズル２と前記水受け３の間に手を挿入して乾燥するための処理空間４が本体１に面して本体上面部５の付近かつ自由空間に形成される。処理空間４は、噴出ノズル２と水受け３によって構成される手を乾燥させるための空間である。本体が壁面に設置される場合の本体壁面部６と相対する面を本体正面部７とすると、処理空間４は本体正面部７側に正面８、その反対側を背面９、天井側を上面１０、床側を下面１１となって構成される。それぞれの面は平面だけでなく曲面などによって構成される。
【００３０】
開口部１２は、前記処理空間の複数の平面または曲面によって構成されており、例えば本形態では正面８および上面１０および処理空間４の側面１３が開口している。
【００３１】
前記本体１内には送風手段である高速ブロワ１４、発熱手段であるＰＴＣヒータ１５および制御手段である制御回路１６が設けられている。前記処理空間４の中に挿入された手を検知して前記高速ブロワ１４および前記ＰＴＣヒータ１５に通電するための検知手段であるセンサ１７を本体１の一部に付属している。
【００３２】
上記構成において濡れた手を前記処理空間４に挿入すると、前記センサ１７により手の存在を検知して、前記高速ブロワ１４および前記ＰＴＣヒータ１５を動作させる。これにより本体下面部１８付近に設置された吸込口１９から外部空気を吸込み、前記高速ブロワ１４とＰＴＣヒータ１５を経由して温風が形成されて噴出ノズル２より送風される。このとき差し出した手に温風が当たり、手を乾燥させる。手を引っ込めるとセンサ１７の検出がなくなるので、前記高速ブロワ１４および前記ＰＴＣヒータ１５は停止する。このような運転の作業を制御回路１６にて実施する。
【００３３】
使用者側から手を自由に入れやすい前記開口部１２とは、使用者の手をどのような方向にしても手が自由に出入りできる開口空間を有していることであり、例えば手のひらを体の内側にむけたまま、前記処理空間４に手を入れる場合には、前記開口部１２が狭い場合は本体１の一部に手が接触または手を入れられない場合があり、このような状態の回避を行うことができる。
【００３４】
更に手を自由に入れやすい空間は、使用者の見た目にも清潔感を与えるため、心理的にも肉体的にも清潔性を向上している。
【００３５】
前記水受け３に手から分離して衝突した水滴は、前記水受け３からドレン穴２０を経由して、ドレンタンク２１に移動する。前記ドレンタンク２１には、水滴が一定の量は溜められる。前記ドレンタンク２１は定期的にメンテナンスされ回収された水滴を廃棄するようになっている。
【００３６】
なお、前記高速ブロワ１４は、一般的に掃除機などに使用される電動送風機であり、ブラシ付モータによるものおよびブラシレスモータによるものを含み、ターボファンを使用しモータの高速回転による温度上昇を冷却しながら送出するものである。
【００３７】
（実施の形態２）
実施の形態１と同一部分については同一番号を附し、詳細な説明を省略する。
【００３８】
図３のように開口部１２の開口距離２２とは、本体１の壁側の面と使用者側の面との間の処理空間４の距離を指しており、この空間は一般的には手のひらの最も長い距離が１００ｍｍ程度であることから、前記開口距離２２を１００ｍｍ以上は開けることが必要である。
【００３９】
（実施の形態３）
実施の形態１と同一部分については同一番号を附し、詳細な説明を省略する。
【００４０】
図４から図６に示すように、本体１の上方に高速噴流を壁側でかつ天井側に噴き出す噴出ノズル２と前記噴出ノズル２に対して対向するように設置された水受け３を付属している。前記水受け３は処理空間４のうち下面１１および背面９に位置しており、水滴を回収するために設置されている。前記噴出ノズル２が使用者側を向いていると風が使用者に当たることで不快になるため、前記噴出ノズル２と前記水受け３の上方に手を挿入して乾燥させるための前記処理空間４が、本体１の上方の自由空間に形成される。
【００４１】
したがって、前記本体１の上方から見た場合は、前記噴出ノズル２を目視することができる。
【００４２】
このような構成であれば、噴出ノズル２の噴流の噴きだす方向は、前記処理空間４の背面９に水滴を噴きつける方向である。
【００４３】
この際、前記噴出ノズル２に水滴が自然に入ることがないように、水滴が必ず通過する処理空間４の最も床面に近い位置に前記噴出ノズル２を設置しないようにする。最も床面に近い位置には、ドレン穴２０が設置されている。
【００４４】
ここで、噴出ノズル２に水滴が入る場合は故障の原因となるため、噴出ノズル２と高速ブロワ１４の通風経路の間にＵ字型をしたトラップ２３を設置して水滴が高速ブロワ１４に侵入することを防ぐ。
【００４５】
また、トラップ２３に水滴が多く入った場合は、前記トラップ２３の最下点の一部に水滴の自重により開口する扉２４を設置することで更に安全性を向上できる。水滴がなくなった場合は再度通風経路を確保するため、前記扉２４を閉じるようにバネ２５を設置して水滴の自重が少ないときは閉じるように構成する。
【産業上の利用可能性】
【００４６】
本発明にかかる手乾燥装置は、処理空間の使用者側から手を自由に入れやすい開口部を有するとともに、手から除去した水滴を回収する水滴回収手段を設けたものであり、処理空間を広く取ることで手挿入時に障害となるものがないため、自然に手を入れやすくすることができる。また水滴は水滴回収手段を持つため、水滴を壁や床面などの本体外部を汚すことがないようにできるという効果がある。
【００４７】
よって、洗面所やトイレ等で手を洗い、濡れた手を乾燥させる装置等に有効であり、また、一般的に液体によって濡れたものを乾燥させる用途としても適用できる。
【図面の簡単な説明】
【００４８】
【図１】本発明の実施の形態１の構造を示す側断面図
【図２】同上面図
【図３】本発明の実施の形態２の構造を示す側面図
【図４】本発明の実施の形態３の構造を示す側断面図
【図５】同上面図
【図６】同部分詳細側断面図
【図７】従来の手乾燥装置の一例を示す側断面図
【図８】同斜視図
【図９】従来の手乾燥装置の別の一例を示す側断面図
【図１０】同斜視図
【図１１】従来の手乾燥装置の別の一例を示す斜視図
【図１２】同断面図
【符号の説明】
【００４９】
１  本体
２  噴出ノズル
３  水受け
４  処理空間
５  本体上面部
６  本体壁面部
７  本体正面部
８  正面
９  背面
１０  上面
１１  下面
１２  開口部
１３  側面
１４  高速ブロワ
１５  ＰＴＣヒータ
１６  制御回路
１７  センサ
１８  本体下面側
１９  吸込口
２０  ドレン穴
２１  ドレンタンク
２２  開口距離
２３  トラップ
２４  扉
２５  バネ
【図１】
2006187397.tif 000003
【図２】
2006187397.tif 000004
【図３】
2006187397.tif 000005
【図４】
2006187397.tif 000006
【図５】
2006187397.tif 000007
【図６】
2006187397.tif 000008
【図７】
2006187397.tif 000009
【図８】
2006187397.tif 000010
【図９】
2006187397.tif 000011
【図１０】
2006187397.tif 000012
【図１１】
2006187397.tif 000013
【図１２】
2006187397.tif 000014